Podtech/llm-jp-corpus-v4-ja_patent huggingface dataset:
(57)【要約】【課題】速度計発電部から出力される正弦波の周波数を検出する回路のみで構成された戸閉保安装置は、その検出回路の故障により鉄道用車両の扉開インタロックリレーを駆動させ、停車しているにも関わらず扉が開かなくなるという問題点があった。【解決手段】鉄道用車両の速度を検出する戸閉保安装置において、速度を検出する回路にフェイルセーフを設けたことを特徴とする戸閉保安装置とする。すなわち、周波数を検出する回路４と、電圧を検出する回路５との重ね合わせにより、扉開インタロックリレー８を駆動する。【選択図】図１
2013052777.tif 000002
【特許請求の範囲】
【請求項１】
鉄道用車両の速度を検出する戸閉保安装置において、速度を検出する回路にフェイルセーフを設けたことを特徴とする戸閉保安装置。
【発明の詳細な説明】
【技術分野】
【０００１】
本発明は、鉄道用車両の速度を検出する回路に、フェイルセーフを設けた戸閉保安装置に関するものである。
【背景技術】
【０００２】
鉄道用機器の中で、戸閉保安装置は、鉄道用車両がある速度以上で走行している間、乗務員が車掌スイッチを誤って操作しても、扉が開くことを防止するものである。
実用の戸閉保安装置は、速度計発電部から出力される正弦波を取り込み、その周波数を検出する回路により、速度計発電部の速度と周波数の特性から、ある速度に相当する周波数を検出すると、扉開インタロックリレーを駆動するものである。周波数を検出する回路は、部品点数が少なく、安価であり実用上十分であった。
【０００３】
しかし、速度計発電部から出力される正弦波の周波数が０、すなわち鉄道用車両が停車しているにも関わらず、戸閉保安装置の周波数を検出する回路が、扉開インタロックリレーを駆動する側に故障した場合、扉が開かなくなる欠点があった。
【０００４】
鉄道用車両の扉の開閉において、この欠点は鉄道の運行に関して重大な障害である。具体的には、鉄道用車両が駅構内に停車しているにも関わらず、戸閉保安装置の故障により、扉が開かず乗客の乗り降りができない問題があった。
【０００５】
この改善策として、周波数を検知する回路の他に、電圧を検出する回路を追加することにより、フェイルセーフを設ける。
【先行技術文献】
【特許文献】
【０００６】
【特許文献１】特開２０００−２５５４３１
【特許文献２】特開２０１０−２３４９７８
【非特許文献】
【０００７】
【非特許文献１】「電気鉄道ハンドブック」、コロナ社、２００７年、ｐ．２６６
【発明の概要】
【発明が解決しようとする課題】
【０００８】
解決しようとする問題点は、周波数を検出する回路が、扉開インタロックリレーを駆動する側に故障した場合、扉が開かず乗客の乗り降りができない点である。
【課題を解決するための手段】
【０００９】
本発明は、戸閉保安装置において周波数を検出する回路の他に、電圧を検出する回路を追加することにより、周波数を検出する回路が、扉開インタロックリレーを駆動する側に故障しても、追加する電圧を検出する回路により、扉開インタロックリレーを駆動させないよう、フェイルセーフを設けたことを最も主要な特徴とする。
【発明の効果】
【００１０】
本発明の戸閉保安装置は、速度計発電部からの入力を２つの検出回路により取り込み、２回路の出力の重ね合わせにより、扉開インタロックリレーを駆動させるため、検出回路の片方が故障しても、扉開インタロックリレーを誤って駆動させない利点がある。
【図面の簡単な説明】
【００１１】
【図１】本発明の実施例１に係るフェイルセーフを設けた戸閉保安装置の説明図である。
【発明を実施するための形態】
【００１２】
以下、本発明の実施の形態について、詳細に説明する。
【実施例１】
【００１３】
速度計発電部１から出力される正弦波を、絶縁トランス２と絶縁トランス３により絶縁する。絶縁された正弦波を周波数検出回路４、および電圧検出回路５に入力する。
【００１４】
周波数検出回路４は、絶縁された正弦波を取り込み、入力周波数と設定周波数を比較する。その結果、後段のトランジスタ６をＯＮ、またはＯＦＦする。
【００１５】
電圧検出回路５は、絶縁された正弦波を取り込み、整流したのち入力電圧と設定電圧を比較する。その結果、後段のトランジスタ７をＯＮ、またはＯＦＦする。
【００１６】
周波数検出回路４と、電圧検出回路５の重ね合わせにより、扉開インタロックリレー８の吸引、釈放が行われる。
【産業上の利用可能性】
【００１７】
本発明は、鉄道に限らず速度を周波数に変換するシステムにおいて、ある速度で保安機器を動作させる用途に適用できる。
【符号の説明】
【００１８】
１    速度計発電部
２    絶縁トランス
３    絶縁トランス
４    周波数検出回路
５    電圧検出回路
６    トランジスタ
７    トランジスタ
８    扉開インタロックリレー
【図１】
2013052777.tif 000003
(57)【要約】【課題】ゴルフスイングの練習にあたり、正しいスイングを短時間で習得するために、脚のかかと部に装着するゴム製の練習器具を提供する。【解決手段】脚のかかと部に器具を装着することにより、右利きの人の場合、ゴルフのバックスイング時の右側への過度な体重移動が抑止され、さらにダウンスイング時には左側への円滑な体重移動が促進される。そのことにより、使用者は短時間で正しいゴルフスイングを習得できる。【選択図】図２
2013052199.tif 000002
【特許請求の範囲】
【請求項１】
脚部かかとに装着し、足が内側に傾き、つま先が下がった状態を保持することで、ゴルフスイングの失敗を防止し、正しいゴルフスイングを体得できる練習器具の形状、材質。
【発明の詳細な説明】
【技術分野】
【０００１】  本発明は、脚のかかと部に高さのあるゴム製の台を装着することにより、ゴルフスイングの上達を実現する練習器具に関するものである。
【背景技術】
【０００２】  従来、ゴルフの練習器具は特殊な形状をしたクラブや腕に装着するバンドなど、上半身に関わるものが大半であり下半身に着目したものはなかった。そもそもゴルフスイングにおけるダフリ、トップなど失敗の多くは、右利きのプレイヤーの場合、バックスイング時に右側に体重が移動しすぎること（スウェー）、ダウンスイング時に左側への体重移動が不足することによって生じる。本発明は右脚かかと部にゴムによる靴底状の器具を装着することにより、バックスイング時に右側に体重が移動しすぎることを防ぎ、なおかつダウンスイング時に左側への円滑な体重移動を促し、理想的な状態でゴルフクラブがボールに当たる状態を作り出す。
【発明の概要】
【発明が解決しようとする課題】
【０００３】  ゴルフスイングの上達にあたり、失敗の主たる原因であるバックスイング時の右側への過度な体重移動とスイング時の左側への体重移動の不足を防ぐには練習者本人がそれを意識して行うしかなく、初心者、中級者においては非常に難しいことであった。
【課題を解決するための手段】
【０００４】  本発明の器具を装着すると、その形状によって右足部分が内傾気味に固定されるため、初心者であっても簡単にバックスイング時の右側への過度な体重移動を防ぐことができる。また右足部分がつまさき下がりの状態に保たれるため、ダウンスイング時の左側への円滑かつ迅速な体重移動を促す。また、練習時での使用に加え、実際のゴルフプレー時に使用してもダフリ、トップなどの失敗を減少させることができる。
【発明の効果】
【０００５】  本発明によれば、使用者は短時間で正しいゴルフスイングを習得できる。
【図面の簡単な説明】
【０００６】
【図１】本発明の上から見た図である。
【図２】本発明の後ろ斜め上から見た図である。
【図３】本発明の前から見た図である。
【発明を実施するための形態】
【０００７】  以下、本発明の実施の形態について説明する
（イ）      硬質ゴムで作られた図１の器具を装着する。留め具はクリップ状になっているため、使用者は左手にゴルフクラブを持ったまま、靴の上から右足のかかとに押しこむように片手のみで簡便に装着できる。また、取り外すことも片手のみで可能である。
（ロ）      使用者は器具を装着し、ヒール部をしっかり踏んだままボールを打つ。留め具があるために、ボールを打ち終わって右足が地面から離れても器具は外れない。
（ハ）      器具は使用者の足の大きさに合わせてＳ、Ｍ、Ｌなどの複数サイズを設定する。また、左利きでゴルフをする人のために反転構造のものも用意する。
【符号の説明】
【０００８】１  留め具
２  ヒール
【図１】
2013052199.tif 000003
【図２】
2013052199.tif 000004
【図３】
2013052199.tif 000005
(57)【要約】【課題】  従前の空気清浄機は、主にフィルターで汚染物質を除去するが、フィルターが詰まり除去効率が低下するため、清掃や取換えを頻繁に行う必要がある。  また、上記の問題を解決するため、汚染物質を化学吸着するシリカゲルに室内空気を晒して空気清浄を行うシステムなどがあるが、シリカゲルで汚染物質を吸着しても、いずれ飽和状態となって再放散する事が思慮される。【解決手段】  光触媒を混合させた特殊シリカゲルを納めた菱形状の収納体を、吸気口と排気口を設けたケーシング内に、可視光線の光源を遮らない位置に取付ける。  送風機で空気をケーシング内の収納体を通過させた時に、有害物質を化学吸着・分解させる構造となっている。【選択図】図１
2013052381.tif 000002
【特許請求の範囲】
【請求項１】
光触媒成分をシリカゲル生成過程で混合させた特殊シリカゲル▲１▼を、特殊シリカゲル▲１▼がこぼれない網目寸法のメッシュ▲２▼を菱形状に成形した収納体▲１０▼に詰め、該収納体▲１０▼を可視光線の光源▲４▼を遮らない位置に取付け、空気▲７▼を通過させるよう吸気口▲５▼と排気口▲６▼の付いたケーシング▲３▼内に納めた事を特徴とした空気循環清浄化装置。
【請求項２】
請求項１の空気循環清浄化装置▲１３▼を、家屋内のデッドスペースに設置し、家屋内全体の空気を段階的に清浄させる事を特徴とした空気循環清浄化装置。
【請求項３】
請求項１の空気循環清浄化装置▲１３▼を、室内の天井に取り付け、空気サーキュレーション機能と兼用できる事を特徴とした空気循環清浄化装置。
【発明の詳細な説明】
【技術分野】
【０００１】  本発明は、家屋内においてホルムアルデヒドなどの空気汚染物質をフィルターを用いず、光触媒を混合したシリカゲルで効率良く空気清浄を行う技術に関するものである。
【背景技術】
【０００２】  従前の空気清浄機は、主にフィルターで汚染物質を除去するが、フィルターが詰まり除去効率が低下するため、清掃や取換えを頻繁に行う必要がある。【０００３】  上記の問題を解決するため、汚染物質を化学吸着するシリカゲルに室内空気を晒して空気清浄を行うシステムなどがある。
しかしながらシリカゲルで汚染物質を吸着しても、いずれ飽和状態となって再放散する事が思慮される。
【発明の概要】
【発明が解決しようとする課題】
【０００４】  家全体の空気を効率良く清浄させ、シックハウス症候群などの健康障害をもたらさず、年単位で永続的なメンテナンスフリーで空気清浄を行う事が求められる。
本発明はこのような課題を克服するために為されたものである。
【課題を解決するための手段】
【０００５】  本発明は、光触媒効能のある酸化チタンをシリカゲル生成過程で混合させた特殊シリカゲル▲１▼（特許文献）を、特殊シリカゲル▲１▼が零れない程度の網目寸法にしたメッシュ▲２▼を菱形状に成形した収納体▲１０▼に収納する。この収納体▲１０▼を、可視光線の光源▲４▼を遮らない位置に取付けられるようなケーシング▲３▼内に取付け、ケーシング▲３▼には吸気口▲５▼と排気口▲６▼をあけて空気▲７▼を通過させるような構造にした事を特徴とした空気循環清浄化装置である。
【先行技術文献】
【０００６】
【特許文献】
【特許文献】公開特許公報２００５−１９９２４１
【発明の効果】
【０００７】  吸気口▲５▼から入った空気▲７▼は、収納体▲１０▼に入った特殊シリカゲル▲１▼の表面を通過する際に汚染部質がシリカゲル表面に突き出た水酸基で吸着される。
【０００８】  特殊シリカゲル▲１▼の水酸基に吸着すると、混合した光触媒と可視光線の光源▲４▼の作用でホルムアルデヒドなどの汚染物質は水素やＣＯ２に化学分解され、主に水となってシリカゲルに吸着される。
【０００９】  フィルターを使用していないため清浄効果は低下せず、清掃や取換えの必要はない。
【００１０】  特殊シリカゲル▲１▼を詰めた菱形状の収納体▲１０▼を多くする事で、大型建築物全体の空気清浄も可能となる。
【００１１】  特殊シリカゲル▲１▼の調湿効果は通常のシリカゲルと同等のため、空気循環で湿度の一定化の効果を発揮する。
【図面の簡単な説明】
【００１２】
【図１】本発明請求項１の構造断面図
【図２】本発明の実施例４の構造断面図
【図３】本発明の実施例５の構造断面図
【図４】本発明請求項２の構造断面図。
【図５】本発明の実施例８の構造断面図。
【図６】本発明請求項３の構造断面図。
【発明を実施するための形態】
【００１３】  本発明は、家屋内の空気を循環させる事で段階的に空気清浄を行う装置である。
したがって、空気循環を促す送風機や送風ダクトなどを収納できる天井裏や床下などのデッドスペースを活用出来る形状が最良である。
【実施例１】
【００１４】  メッシュ▲２▼を硬質プラスティックで菱形状に成型した本発明の実施例。
【実施例２】
【００１５】  メッシュ▲２▼を鉄やアルミ、ステンレスで菱形状に成型した本発明の実施例。
【実施例３】
【００１６】  可視光線の光源▲４▼を、省エネのＬＥＤ照明機器にした本発明の実施例。
【実施例４】
【００１７】  排気口に排気送風機▲９▼を用いた本発明の実施例。
【実施例５】
【００１８】  吸気口に吸気送風機▲１０▼を用いた本発明の実施例。
【実施例６】
【００１９】  ケーシング内側に、しわ寄せを施したアルミ箔を張り、ケーシング内での乱反射作用で光触媒効果を促進させる本発明の実施例。
【実施例７】
【００２０】  設置スペースの都合で送風機▲１１▼をダクトで繋ぎ、別な場所に設置した実施例。
【実施例８】
【００２１】  天井の上にビルトインした請求項２の実施例。
【実施例９】
【００２２】  化粧ケースで覆い天井面に設置した請求項３の実施例。
【実施例１０】
【００２３】  ＬＥＤをパルス照射させる事で省エネを図る本発明の実施例。
【産業上の利用可能性】
【００２４】  本発明は、ビルなどの大型建築物の空気清浄装置として可能となる。【００２５】  本発明は、戸建て住宅やアパートなどにも使用可能である。【００２６】  本発明は、調湿省エネでのエコ貢献が可能である。【００２７】  本発明は構造がシンプルで量産性が高く、大型建築物や新築、既存住宅の健康対策やエコ対策として安価に使用出来る事から、住宅業界の活性化に寄与する可能性がある。
【符号の説明】
【００２８】▲１▼  特殊シリカゲル
▲２▼  メッシュ
▲３▼  ケーシング
▲４▼  光源
▲５▼  吸気口
▲６▼  排気口
▲７▼  空気
▲８▼  排気送風機
▲９▼  吸気送風機
▲１０▼  収納体
▲１１▼  送風機
▲１２▼  送風グクト
▲１３▼  空気循環清浄化装置
【図１】
2013052381.tif 000003
【図２】
2013052381.tif 000004
【図３】
2013052381.tif 000005
【図４】
2013052381.tif 000006
【図５】
2013052381.tif 000007
【図６】
2013052381.tif 000008
(57)【要約】【課題】  環境問題を踏まえ、フロン触媒を用いたコンプレッサーでのヒートポンプや除湿、調湿などではなく、環境に優しい自然素材活用が求められる。  しかし、従前のデシカント・シリカゲル収納装置は、回転式ハニカム方式が主で、送風ロスや容量が極めて限定されるものであり、その問題を解決するため、シリカゲル大容量装置などもあるが、空気を晒すための表面積に限界があった。【解決手段】  本発明は、公知の湿気を吸い、また排出する作用のあるシリカゲルを、該シリカゲルがこぼれない網目寸法のメッシュを菱形状に成形した収納体に収納し、該収納体を、空気が通過できるように吸気口と排気口を設けたケーシング内に納めた構造とする。  本発明は、シリカゲルという自然素材を活用することで環境問題にも安全で、また、収納体の個数とケーシングの大きさを調整するだけで、簡単に除湿、調湿の容量を大きくすることができる。【選択図】図１
2013052382.tif 000002
【特許請求の範囲】
【請求項１】
湿気の吸放湿作用のあるシリカゲル▲１▼を、該シリカゲル▲１▼がこぼれない網目寸法のメッシュ▲２▼を菱形状に成形した収納体▲７▼に収納し、該収納体▲７▼を、空気▲６▼を通過させるよう吸気口▲４▼と排気口▲５▼を設けたケーシング▲３▼内に納めた事を特徴としたデシカント・シリカゲル収納装置。
【発明の詳細な説明】
【技術分野】
【０００１】  本発明は、シリカゲルを調湿、除湿、保湿、ヒートポンプに活用する大容量の湿気保有装置に関するものである。
【背景技術】
【０００２】  従前のデシカント・シリカゲル収納装置は、回転式ハニカム方式が主で、送風ロスや容量が極めて限定されるものであった。【０００３】  上記の問題を解決するため、シリカゲル大容量装置などの参考文献があるが、空気を晒すための表面積に限界があった。
【発明の概要】
【発明が解決しようとする課題】
【０００４】  環境問題を踏まえ、フロン触媒を用いたコンプレッサーでのヒートポンプや除湿、調湿などではなく、環境に優しい自然素材活用が求められる。本発明はこのような課題を克服するために為されたものである。
【課題を解決するための手段】
【０００５】  本発明は、公知の湿気を吸い、また排出する作用のあるシリカゲル▲１▼を、該シリカゲル▲１▼がこぼれない網目寸法のメッシュ▲２▼を菱形状に成形した収納体▲７▼に収納する。該収納体▲７▼を、空気▲６▼が通過できるように吸気口▲４▼と排気口▲５▼を設けたケーシング▲３▼内に納めた構造とする。
【先行技術文献】
【０００６】
【特許文献１】特開２００３−１１７３３４
【特許文献２】特開２００３−３４０２３４
【発明の効果】
【０００７】  吸気口▲４▼から入った空気▲６▼が、収納体▲７▼に入ったシリカゲル▲１▼の表面を通過する際に、メッシュ▲２▼面から晒されたシリカゲル▲１▼の表面に突き出た水酸基に湿気が吸着される。
【０００８】  菱形状とすることで、湿気を吸着するシリカゲル▲１▼が晒される表面積が大きくなり、かつ空気の流れを阻害しない。
【０００９】  フィルターを使用していないため、吸湿、排出効果は低下せず、清掃や取換えの必要はない。
【００１０】  シリカゲル▲１▼を詰めた菱形状の収納体▲７▼を多くする事で、大型建築物にも汎用可能である。
【００１１】  収納体▲７▼に収納されたシリカゲル▲１▼の調湿、吸湿、排湿効果は、未収納のシリカゲルと同等である。
【図面の簡単な説明】
【００１２】
【図１】本発明の構造断面図
【発明を実施するための形態】
【００１３】  効率よく湿気を吸放湿するためには、湿気を吸放湿するシリカゲルをできるだけ空気に触れさせることが必要である。
そのため、空気の流通を阻害せずに、かつシリカゲルの表面積を多くするために、メッシュで菱形状に成形した収納体にシリカゲルを収納した。
【実施例１】
【００１４】  メッシュ▲２▼を硬質プラスティックで菱形状に成型した本発明の実施例。
【実施例２】
【００１５】  メッシュ▲２▼を鉄やアルミ、ステンレスで菱形状に成型した本発明の実施例。
【実施例３】
【００１６】  シリカゲル▲１▼を、公知の光触媒作用があるシリカゲルとし、吸着された有害物質を光触媒作用で分解させる、空気浄化作用を加えた本発明の実施例。
【実施例４】
【００１７】  実施例３を、さらにケーシング▲３▼内側に、しわ寄せを施したアルミ箔を張り、ケーシング▲３▼内での乱反射作用で光触媒効果を促進させた本発明の実施例。
【実施例５】
【００１８】  実施例３及び４で、光触媒作用を起こさせる光源にＬＥＤを用いることで省エネを図る本発明の実施例。
【実施例６】
【００１９】  実施例５で、ＬＥＤをパルス照射させる事で、さらなる省エネを図る本発明の実施例。
【実施例７】
【００２０】  排気口▲５▼に排気送風機を用いた本発明の実施例。
【実施例８】
【００２１】  吸気口▲４▼に吸気送風機を用いた本発明の実施例。
【産業上の利用可能性】
【００２２】  本発明は、戸建て住宅やアパートのほか、シリカゲルの容量を増やすことで、ビルなどの大型建築物にも利用可能となる。【００２３】  本発明は、調湿省エネでのエコ貢献が可能である。【００２４】  本発明は構造がシンプルで量産性が高く、大型建築物や新築、既存住宅の健康対策やエコ対策として安価に使用出来る事から、住宅業界の活性化に寄与する可能性がある。
【符号の説明】
【００２５】  ▲１▼  シリカゲル
▲２▼  メッシュ
▲３▼  ケーシング
▲４▼  吸気口
▲５▼  排気口
▲６▼  空気
▲７▼  収納体
【図１】
2013052382.tif 000003
(57)【要約】【課題】  従来の紙袋は口を閉じるためにテープなどで止めて閉じていたが、テープなどを使わずに綺麗に袋の口を閉じることの出来る紙袋を提供する。【解決手段】  左右の持ち手の間にコの字形をあけそのコの字形に左右の持ち手の紐をそれぞれ通してひっぱることにより、紙袋の口をしっかり閉じることができテープなどを使用せず、エコにもなりその紙袋を使用するお店のイメージアップや差別化にも繋がる。【選択図】図２
2013052926.tif 000002
【特許請求の範囲】
【請求項１】
テープなどを使用せずに紙袋の口を綺麗に閉じる為に両方の持ち手の紐の間にコの字形をあけた紙袋
【発明の詳細な説明】
【技術分野】
【０００１】本発明は、一般に使用されている紙袋の口をテープなしで閉じることが出来る紙袋に関する。
【背景技術】
【０００２】従来の紙袋であればテープか何かをしないと口が閉まらない
【発明の概要】
【０００３】従来の紙袋では口を閉じる時にテープなどで止めなければ口が開いたままであり、又テープがとれたり、切れたりした場合などは口を閉じることが出来なかった。
【０００４】本発明はこのような従来の紙袋が有していた問題を解決しようとするものであり、紙袋の口を効果的に閉じテープなどを使用しないためエコでおしゃれで使いやすい紙袋を実現することを目的とするものである。
【０００５】そして本発明は上記目的を達成する為に両方の持ち手の紐の間にコの字形を設けたものである。
【０００６】上記の課題解決手段による作用は次の通りである…すなわち左右の持ち手の紐をそれぞれコの字形に通すと綺麗に紙袋の口を閉じることができます。何度でも開閉でき、テープなどを使用しないのでエコにもなり、それを使用しているお店のイメージアップや差別化を計ることが出来る。
【発明の効果】
【０００７】上述したように本発明の紙袋はテープなどを使用しないので何度でも開閉できエコにも繋がりお店のイメージアップや差別化を計ることが出来る。
【図面の簡単な説明】
【０００８】
【図１】本発明の実施形態を示す紙袋の側面図
【図２】左右の持ち手の紐をそれぞれのコの字形に通している図
【図３】持ち手の紐を通し終わった状態の図
【発明を実施するための形態】
【０００９】以下、本発明の実施の形態を図１〜図３に基づいて説明する。
【００１０】図において１、２はコの字形で３、４は持ち手の紐５は紙袋本体。
【００１１】上記構成の説明をする。まず持ち手の紐３がコの字形１を通り２にでる。
反対側の持ち手の紐４がコの字形２を通り１にでる。このことにより紙袋の口が綺麗に閉じられる。
【符号の説明】
【００１２】１、コの字形
２、反対側のコの字形
３、紐
４、反対側の紐
５、紙袋
【図１】
2013052926.tif 000003
【図２】
2013052926.tif 000004
【図３】
2013052926.tif 000005
(57)【要約】 【課題】   操作が簡単で、少量や短い毛体にも十分髪飾りを固定できる構造した髪飾り固定具。【解決手段】  毛体を弾性の輪に通し、髪飾りに固定具を固定し、固定具を輪に通す。毛体と固定具が弾性の輪の弾性を利用し、摩擦により固定される。従来のカシメ固定や接着固定により毛体へのダメージを軽減し、繰り返し使用できることと、熟練技術を要しない取り付けが可能。よって、動きを制止しにくい動物や子供に簡単に取り付けができる。【選択図】  図１
2013052083.tif 000002
【特許請求の範囲】
【請求項１】
動物の毛や人間の髪の毛等の毛体にエクステンション等の髪飾りをつける構造であって、弾性の輪とこの弾性の輪に挿入される事で髪飾りを固定するための固定具からなる髪飾り固定具。
【発明の詳細な説明】
【技術分野】
【０００１】
本発明は動物や子供等、動きが激しく、異物に対する感覚が敏感な場合でも簡単に動物の毛や人間の髪の毛などの毛体に着ける事のできる髪飾りの構造からなる髪飾り固定具。
【背景技術】
【０００２】
近年髪の毛に様々な髪飾りがあり、エクステンションなどを固定する方法として、下記特許文献1に示すような、髪に固定用の輪を通し、髪飾りとカシメ固定するや接着剤で直接髪の毛に接着する方法が主流である。これらの方法では髪の毛へのダメージがあり、繰り返しての使用が出来ず、取り付けに熟練技術が必要であった。また、動物や子供等動きが激しい場合や毛体が短い、細い場合でも簡単かつ素早く、確実に取り付けが可能で、繰り返しての使用が可能なものを提供する。
【先行技術文献】
【特許文献】
【０００３】
【特許文献１】特開２００４−１５６１５７
【発明の概要】
【発明が解決しようとする課題】
【０００４】
従来の髪飾り等を固定する方法としてのカシメや接着で問題点となる毛体へのダメージ、取り外す難しさ、取り付けに対する熟練技術、再固定の難しさを解消するための発明。
【０００５】
髪飾りを取り付ける時のカシメや接着作業中は出来るだけ動きを止めて、静かにしてもらう必要があるが、動物や子供の場合、これらの要求が困難な場合でも、素早く、簡単に取り付ける事が出来る。
【０００６】
本発明は意匠的効果もあり、髪飾りの固定後、目立たないので髪飾りを最大限に表現できる。
【課題を解決するための手段】
【０００７】
動物の毛や人間の髪の毛等の毛体にエクステンション等の髪飾りをつける構造であって、弾性の輪とこの弾性の輪に挿入される事で髪飾りを固定するための固定具からなる髪飾り固定具。
【０００８】
従来の髪飾り固定に必要であった道具、技術が不要であり、誰もが簡単かつ確実に取り付けが可能である。
【０００９】
本発明は自身が希望の位置に髪飾りを固定でき、取り付け後に位置を変更することも簡単に自身でできる。
【００１０】
従来のような道具を使用しない為、素人でも安全かつ簡単に髪飾りを確実に取り付けができ、取り付けに要する時間の短縮を図ることや、取り外し、繰り返しの取り付けも容易に出来るため、水、シャンプーなどで変形、変色するような髪飾りも使用が可能。
【００１１】
本発明で固定した髪飾りは激しく動く動物や子供に使用しても取れないがトラブルで髪飾りが強く引っ張られた場合はカシメや接着と違い、毛体が切れず外れる。
【発明の効果】
【００１２】
本発明により、髪飾りを取り付ける際、動く動物や子供への取り付けが容易となる。毛体が短いや細くても、取り付けに問題がなく長時間使用でも毛体へのダメージがない。取り付けが簡単であるため、飼い主は動物と同じ髪飾りを使用でき、取り外しも簡単であるため動物を洗う時に、髪飾りが変色、変形する心配もない。
【図面の簡単な説明】
【００１３】
【図１】本発明を毛体に取り付けた状態の図
【図２】弾性の輪を毛体に通した状態
【図３】髪飾りに固定具を取り付けた状態
【図４】動物に本発明で髪飾りを取り付けた状態
【発明を実施するための形態】
【００１４】
本発明の取り付けを図に基いて説明する。
図２の弾性の輪(a)に毛体(1)を通し、髪飾り(2)の固定位置を定めるために、弾性の輪(a)の位置を固定する。位置が確定すれば、髪飾り(2)に固定されている固定具(b)を弾性の輪(a)に差し込み、毛体(1)、固定具(b)は弾性の輪(a)との摩擦により固定される。取り外す際は弾性の輪(a)を握りながら髪飾り(2)を引っ張ると取れます。その後、弾性の輪(a)を毛体から抜くと完全に取り外せる。弾性の輪(a)、固定具(b)は従来のカシメ用リングのように変形していない為、再度取り付けて使用出来る。
【実施例】
【００１５】
図４のように、動物の毛体に取り付ける事ができ、自由な使用が可能。
【符号の説明】
【００１６】
(1)毛体
(2)髪飾り
(a)弾性の輪
(b)髪飾りを固定する固定具
【図１】
2013052083.tif 000003
【図２】
2013052083.tif 000004
【図３】
2013052083.tif 000005
【図４】
2013052083.tif 000006
(57)【要約】      （修正有）【課題】軽量で少量の力で潰すことが出来る空き缶潰し器を提供する。【解決手段】受け板１に受け板と押さえ板３との間に隙間をもたせた蝶番２を設け、薄鋼鈑の強度を増し、缶７の押さえ板を挟み込まないガードの働きを持たせたＵ型の押さえ板を設け、押さえ板にハンドル４を設け、受け板の補強と器具を軽量化するため、受け板に木ネジ５をもって木板６を設けたことを特徴とする。【選択図】図２
2013052438.tif 000002
【特許請求の範囲】
【請求項１】
2013052438.tif 000006
【請求項２】
受け板の補強と器具を軽量化するために受け板に木板を設けた請求項１の空き缶潰し器。
【発明の詳細な説明】
【技術分野】
【０００１】    本発明は、ジュース、缶ビールの空き缶潰し器に関するものである。
【背景技術】
【０００２】  従来、ジュース、缶ビールの空き缶を潰すには、動力機械で潰すか、足又は手で器具を使って、潰していた。
手動式空き缶潰し器の先願は、あつた（特許文献１、２参照）。
【先行技術文献】
【０００３】
【特許文献１】  特開平５−１５４６９８号広報
【特許文献２】  特開  ２００３−２３０９８９号広報
【発明の概要】
【発明が解決しようとする課題】
【０００４】  足踏み式の空き缶潰し器は、器具に缶をセットして立ち上って踏みつける動作で缶を潰すので体力が必要であつた、手動式では、硬質鋼鈑で作ってある為、器具の重量が重い為取り扱いが悪く、構造も複雑だった。
本発明は、以上の問題点を解決するためになされたものである。
【課題を解決するための手段】
【０００５】  受け板に、受け板と押さえ板との間に隙間をもたせたパイプと丸棒からなる蝶番を設け、蝶番に、薄鋼鈑の強度を増し、缶の両端が押さえ板を挟み込まないガードの働きを
2013052438.tif 000003
を軽量化するために受け板に木ネジで木板を設ける。
以上の構成よりなる空き缶潰し器。
【発明の効果】
【０００６】  缶の強度の弱い横の中央部を凹ませ、さらにその両端を押し漬して缶を平板状にして嵩を減らすことができるので、資源ごみとしての回収、運搬が容易になる。
【図面の簡単な説明】
【０００７】
【図１】本発明の斜視図
【図２】本発明の使用状態を示す斜視図
【発明を実施する為の形態】
【０００８】  以下、本発明の実施の形態を説明する。
（イ）受け板（１）にパイプと丸棒からなる蝶番（２）を受け板から、わずかな隙間を持たせて設ける。
2013052438.tif 000004
ンドル（４）を設ける。
（ハ）受け板（１）に木ネジ（５）をもつて、木板（６）を設ける。
本発明は以上のような構造である
本発明を使用するときは、受け板（１）と押さえ板（３）の間に、空き缶（７）を横
2013052438.tif 000005
再度、受け板（１）と押さえ板（３）の間に置きハンドル（４）を押し下げることにより缶は平板状に潰される。
【符号の説明】
【０００９】    １受け板、２蝶番、３押さえ板、４ハンドル、５木ネジ、６木板、７空き缶
【図１】
2013052438.tif 000007
【図２】
2013052438.tif 000008
(57)【要約】【課題】楽譜によっては鍵盤図が印刷されているものもあり、たいへん便利であるが、自分の弾きたい楽譜には付いてないことが多く不便であった。また、楽譜に鍵盤図が一緒に印刷されていたとしても、必ずしも鍵盤図が見易い場所に位置するわけではないので不便であった。鍵盤図を任意の楽譜及び場所に貼り付けられる鍵盤図付き付箋を提供する。【解決手段】  付箋（１）に鍵盤図（２）の印刷をした鍵盤図付き付箋を特徴とする。【選択図】図２
2013015801.tif 000002
【特許請求の範囲】
【請求項１】
付箋（１）に鍵盤図（２）を印刷した鍵盤図付き付箋。
【発明の詳細な説明】
【技術分野】
【０００１】  この発明は付箋に鍵盤図の印刷をした鍵盤図付き付箋に関するものである。
【背景技術】
【０００２】  従来、楽譜によっては初心者に配慮し五線譜の上に鍵盤図が印刷されているものがあった。
また、キーボード用のコード・ブックには鍵盤図が利用されている。
【発明の概要】
【発明が解決しようとする課題】
【０００３】  従来の楽譜には次のような欠点があった。
（イ）楽譜によっては鍵盤図が印刷されているものもあり、初心者の学習にとってたいへん有用であるが、自分の弾きたい楽譜には付いていないことが多く不便であった。
（ロ）鍵盤図が楽譜と一緒に印刷されていたとしても、必ずしも自分の見易い位置にあるわけではないので不便であったし、必要がなくなると邪魔で目障りであった。
本発明は、以上のような欠点をなくすためのものである。
【課題を解決するための手段】
【０００４】  付箋（１）に鍵盤図（２）の印刷をする。
本発明は、以上の構成よりなる鍵盤図付き付箋である。
【発明の効果】
【０００５】  （イ）本発明を使用することによって、自分の弾きたい楽譜に記譜された音符を鍵盤図上の位置で視覚的に確認できるようになり、楽譜のみでは困難な楽譜の理解を補助することで学習を容易にする。
（ロ）本発明は付箋を利用しているので、鍵盤図を楽譜上の自分が見易い位置に貼ることができ、楽譜を覚え邪魔になれば剥がすことができる。
【図面の簡単な説明】
【０００６】
【図１】  本発明の斜視図
【図２】  本発明の付箋の使用状態を示す正面図
【発明を実施するための形態】
【０００７】  以下、本発明を実施するための最良の形態について説明する。
付箋（１）に鍵盤図（２）の印刷をする。
本発明は、以上のような構造である。
これを使用するときは、鍵盤図と一体になったこの付箋に楽譜の情報を書き込み、それを任意の楽譜に貼り付ける。
【符号の説明】
【０００８】    １  付箋
２  鍵盤図
３  楽譜
【図１】
2013015801.tif 000003
【図２】
2013015801.tif 000004
(57)【要約】【課題】  内燃機関の動弁装置に具備されるカム機構において、回転自由な円形のコロによって摺動抵抗低減を図る場合、当該コロはフォロワに具備されるが、コロの直径を小さくし、なおかつ高い動弁加速度を得るバルブリフトカーブを設定すると、カムの自由曲線形状に極めて高い曲率の凹面が必要となり、動弁加速度の改善には限界を生じる。【解決手段】  回転自由なコロをカムに具備し回転運動部品とし、同時に自由曲線加工部分をフォロワに移行することにより、当該コロは回転運動となって小径化すなわち軽量化の要求が低減され、自由曲線加工部分は量産性・形状自由度の両立した製法の導入が可能になる。【選択図】図１
2013015132.tif 000002
【特許請求の範囲】
【請求項１】
内燃機関の動弁装置に具備されるカム機構において、カムを回転自由な円形のコロによって形成し、自由曲線形状のフォロワを従動させることよって所要のバルブリフトカーブを得る構造。
【発明の詳細な説明】
【技術分野】
【０００１】  本発明は、内燃機関の動弁装置に具備されるカム機構に関する。
【背景技術】
【０００２】  内燃機関の動弁装置に具備されるカム機構において、回転自由な円形のコロによって摺動抵抗低減を図る場合、当該コロはフォロワに具備され、自由曲線形状のカムに従動することよって所要のバルブリフトカーブを得る構造とされるのが一般的である。
【発明の概要】
【発明が解決しようとする課題】
【０００３】  従来の技術によれば、往復運動（揺動）部品である当該フォロワは、振動低減および燃費改善の２面から軽量化の重点対象であるにも関わらず、当該フォロワに具備されるコロの直径を小さくし、なおかつ高い動弁加速度を得るバルブリフトカーブを設定すると、カムの自由曲線形状に極めて高い曲率の凹面が必要となり、研磨加工による量産性を損なうため、生産技術的に動弁加速度の改善には限界を生じる。
【課題を解決するための手段】
【０００４】  以上の課題を解決するため、本発明では回転自由なコロをカムに具備し回転運動部品とし、同時に自由曲線加工部分をフォロワに移行する。
【発明の効果】
【０００５】  本発明によれば、当該コロは質量が損失に直結する往復運動ではなく、回転運動をする部品に具備されることになり、小径化すなわち軽量化の要求が低減される。
また、自由曲線加工部分をフォロワに移行することにより、粉末冶金・精密ブローチ加工等の量産性・形状自由度の両立した製法の導入が可能になる。
【発明を実施するための形態】
【０００６】  以下、本発明の実施のさまを、図面を参照して説明する。
【図面の簡単な説明】
【０００７】
【図１】は、本発明によるカム機構を採用した内燃機関の動弁装置の概観図である。
【符号の説明】
【０００８】（１）弁
（２）フォロワ揺動中心
（３）フォロワ
（４）自由曲線加工部分
（５）コロ
（６）カム軸（ベース円部分）
（７）カム軸回転中心
【実施例】
【０００９】  （５）コロおよび（６）カム軸（ベース円部分）は（７）カム軸回転中心周りを連続的に回転し、（５）コロは（６）カム軸（ベース円部分）に対して回転自由である。
（３）フォロワは（４）自由曲線加工部分が（５）コロおよび（６）カム軸（ベース円部分）に接触した状態で（２）フォロワ揺動中心周りを揺動する。
このとき（４）自由曲線加工部分は、（１）弁の運動が所要のバルブリフトカーブを得るよう設計されており、（１）弁はカム機構の動作に１自由度で従動する。
図のとおり、（５）コロは（６）カム軸（ベース円部分）の部分に自由曲線加工は不要で、なおかつ（３）フォロワはコロを具備せず軽量である。
また（４）自由曲線加工部分は従来通りの精密ブローチ加工または粉末冶金によるネットシェイプ製法による加工省略等、いずれにしてもプロファイル研磨加工と比較して遥かに量産性・形状自由度の両立した製法の適用が容易に類推できる。
【図１】
2013015132.tif 000003
(57)【要約】      （修正有）【課題】室外機の放熱板の冷却効率をあげる空調装置を提供する。【解決手段】エアコン作動時の冷却効率を上げる為に室外機の放熱板ｃに放水する水を室外機の下に水を受ける為の容器ｈを設置して、エアコン作動時に発生する水を室外機の放熱板ｃに導いた水により気化熱放散作用により、冷却効果を上げる事が出来る。また今までのエアコンを改良することなく大幅に効率を高められる。【選択図】図２
2013015307.tif 000002
【特許請求の範囲】
【請求項１】
エアコンの放熱板に流す水を溜めて循環させたもの。
【請求項２】
エアコンの放熱板に流す水を溜める容器を設置したもの。
【発明の詳細な説明】
【技術分野】
【００１】  本考案はエアコン作動時の冷却効率を上げる為に室外機の放熱板に放水する水の再利用を出来る様にしたもの。
【背景技術】
【００２】従来はエアコン作動時の冷却効率を上げる為に室外機に水をかけていたが、放熱板に放水する水は流すだけで再利用はされなかった。本考案はエアコンの冷房能力の向上と、経済性の不具合を解決する事を課題とした。
【考案が解決しようとする課題】
【００３】従来のエアコン作動時の冷却効率を上げる為に室外機の放熱板に放水する水は流しっぱなしだった。水は流すだけで再利用はされず無駄に捨てられていた。
【考案が解決しようとする手段】
【００４】そこで、エアコン作動時の冷却効率を上げる為に室外機の放熱板に放水する水をためるために室外機の下に容器を設置して、ポンプにより容器に溜まった水を再度放水する冷却用の水として循環して使用する。また室内機より出る水も容器に導き循環の水として利用する
【考案の効果】
【００５】よって本考案の方法により室外機に流す水も、流すだけの時と比べ格段に水を節約出来る。また流すだけの時と比べても大量の水を供給しても外部に流れ出さない為、大幅な冷却効率が上がる。また水が外部に流れないので周りを汚さない。外部からの常時の給水が必要ないのでベランダ等でも設置できる。
【発明を実施するための最良の形態】
【００６】本考案にかかわる方法は室外機の下に水を溜める容器を置き、溜まった水を循環ポンプにより放熱板に放水する。
【図面の簡単な説明】
【００７】
【図１】従来の水道配管より放熱板に放水された再利用されない水。
【図２】本考案のエアコンの下の容器に溜まった水を循環ポンプにより再利用される水。
【符号の説明】ａ  従来のエアコンのドレンパイプ。
ｂ  本考案のエアコンのドレンパイプ。
ｃ  エアコンの放熱板。
ｄ  水道管。
ｅ  放水される水。
ｆ  捨てられる水。
ｇ  循環ポンプ。
ｈ  貯水容器。
【図１】
2013015307.tif 000003
【図２】
2013015307.tif 000004
(57)【要約】【課題】  消火用、もしくは警察・警備・防犯用等を主な利用先として、液体・粉体、もしくは２液混合液を噴射、もしくは自動炸裂弾として高圧ガス、または空気の力で飛ばすという異なる機能を同一の発射機で行う。【解決手段】  同一機構の発射機で複数の機能を実現させる為、発射機本体においては撃針の付いたピストンバルブと、それによって隔てられる複数の空気室の考案で実現した。また、専用のカートリッジ、飛翔用においては炸裂用遅延雷管の位置と、噴射用においては内容物が漏れ出さないように貼ってあるフィルムが完全に撃針で突き破られる位置とを最適になるよう配置した。次に、ピストンバルブが開いた時に第３空気室へ流れ込む高圧空気が飛翔弾を飛ばす圧力となる。噴射弾では破れたフィルムからこの高圧空気がカートリッジ内に流入し、強度の弱い前方を破って噴射する圧力となる。【選択図】図１
2013015306.tif 000002
【特許請求の範囲】
【請求項１】
高圧空気（ガスも含む）で、液体・粉体・または複数の内容物を噴射時に混合したり、もしくはそれらが入ったカートリッジを飛ばし、目標点で炸裂させる、という複数の機能を持った発射機と、それを実現させる為の機能、および噴射用、飛翔用カートリッジの構造。
【発明の詳細な説明】
【技術分野】
【０００１】
この発明は、目的により様々な内容物の入った樹脂カートリッジ（容器）を発射し、自動炸裂機能により内容物を四散させたり、直前の目標に内容物だけを噴射させたい場合は、形状の異なるカートリッジに替えるだけで使用目的を切り替えられる発射機に関する。
【背景技術】
【０００２】
高圧空気ボンベから圧力で自動炸裂機能のついた樹脂カートリッジを数十メートル先まで発射することができ、内容物は液体・粉体、または使用時混合させるタイプの液体でも使用することが出来る為、内容物を替えるだけで消火用・暴徒鎮圧用・警備用等、様々な用途に利用できるようにした。
【先行技術文献】
【特許文献】
【０００３】
【特許文献１】米抄００６８３２６０４
【発明の概要】
【発明が解決しようとする課題】
【０００４】
解決しようとする問題点は、上の技術によれば、重く、台座に据え置きしなければならず、持ち運びは不可能であり、圧縮空気供給方法も消火弾の構造も定かでは無く、具体的実現方法が無いことである。
【課題を解決するための手段】
【０００５】
以上の課題を解決するために、第一発明は、小型ボンベを装着し、手持ち式として軽量化し、発射弾として飛ばす場合と、約４メートル以内までの近距離に内容物のみを噴射する場合とに対応したことを特徴とする発射機である。
また、第二発明は、発射弾として飛ばす場合と、近距離噴射する場合とでカートリッジの形状を変えるだけで、本体は何の変更も無しに使用できるようにしたことを特徴とする本機専用カートリッジである。
【発明の効果】
【０００６】
第一発明、または第二発明によれば、主な利用先と想定する消防用では、初期消火用として、狭い建物内、または二階三階の消火器が届かない火災、窓ガラスを割らねばできない火災、もしくは消火器や消防車でのホース消火が困難な火災に特に有用である。また、ボンベが空になった場合は、呼吸用の空気ボンベに繋ぎ直すことで同じように使用出来る。
【図面の簡単な説明】
【０００７】
【図１】図１、この発明の実施形態、発射機と噴射用と飛翔用カートリッジを示す外見側面図である。  １、空気タンク  ２、ストック  ３、砲身  ４，飛翔弾  ５，噴出弾  タンクの付いたストックは本体部から折り畳め、コンパクトになる。砲身中程から砲身は上向きに折れ、カートリッジ排出・挿入とトリガーセットをする。
【図２】図２、この発明に伴う樹脂容器と発射機能部分の断面図である。  １、バルブ  ２、発射バルブ  ３、第１空気室  ４、第２空気室  ５、第３空気室  ６、ピストンバルブ  ７、砲身  ８、遅延雷管  ９、炸薬  １０、内容物保護フィルム  １１、カートリッジリム
【発明を実施するための形態】
【０００８】
携帯性を重視し、軽量金属を多用し、高圧タンクは簡単に取り付け、取り外しが出来るようにする。発射の反動を肩で受けるストックを折りたたみにして運搬時の携帯性を高めた。カートリッジは量産性を高めた無着色樹脂形成で、内容物の色が透けて見え、複数の内容物を併用する場合、用途を誤らないようにした。
【実施例】
【０００９】
図１の中折れ式の砲身を、上部のワンタッチロックを外して折ると、図２の発射バルブ（２）に連動するトリガー（引き金）がロックされ、次にバルブ（１）が空き第１空気室（３）にタンクから一次減圧された空気が入る。    図２は砲身にカートリッジを込めた状態で、上段が飛翔弾を込め、トリガーを引く前の状態、下段が噴射弾を込め、トリガーを引いた状態である。トリガーを引き、発射バルブ（２）が開くと、第２空気室に流れ込んだ高圧空気は（６）のピストンバルブを押し、その反対側先端部の撃針が、飛翔弾の場合は遅延雷管を発火させ、噴射弾の場合は薄いフィルム（１０）を突き破る。すると同時にピストンバルブが開き、高圧空気は第３空気室に流れ込み、カートリッジ底部に接しているスリットの板を通り抜けてカートリッジ底部を押し、飛翔弾を飛ばす。噴射弾の場合は、カートリッジ底部の傾斜に沿って高圧空気が破れたフィルム部から流れ込み、カートリッジの先端が内部圧力に負けて裂け、内容物を前方に噴射する。カートリッジ底部のリム（１１）はパッキンの役目もするが、噴射弾の場合はケースが飛び出さないように押さえ、飛翔弾の場合はカートリッジを込める時に砲身内に落ちない役目も担う。ただし、飛翔弾のリムには切り込みが入っていて、容易に千切れ、リム部のみを残してカートリッジは飛んで行く。以上が本機発射機能とカートリッジを取り替えただけで用途を切り替える仕組みである。
【産業上の利用可能性】
【００１０】
どんな内容物でもカートリッジに詰められる為、前記した消防用はもちろん、雷管が付いている為、煙幕弾、催涙弾、信号弾にも使え、また液体なら催涙液、着色液等の暴徒鎮圧用、ゴム弾、網弾等犯人捕縛用の特殊弾も制作することが出来るので、警察用、機動体用、警備用としても幅広く使える。
【図１】
2013015306.tif 000003
【図２】
2013015306.tif 000004
(57)【要約】【課題】墓前での線香の着火は風が吹いていると容易ではなかったが、線香置き台の下に収納容器を設け、その中に蝋燭立てを設置し、蝋燭の炎を容器の中に閉じ込めて風が炎に直接当たらないように遮断した事により、強風が吹き荒れていても瞬く間に着火可能になり、その容器の中には線香の灰が溜まるようにし、灰が風で飛んだり散らかったりしないように簡単処分できるように工夫したものを提供する。【解決手段】外側枠６で形成された土台の中に入れる収納容器５を設け、その中に蝋燭立て３を設置、線香置き台の上に金網２を敷き、炎が当たる部分に四角い網穴１を開けて、容器の中から出る炎で簡単着火させ、線香の灰は下の容器灰入れ５の中に落ちて溜まる構造である。【選択図】図５
2013015004.tif 000002
【特許請求の範囲】
【請求項１】
墓前での線香の着火は風が少しでもあると容易ではないが、難なく着火できる方法として、炎が消えないように何かで囲んで風を遮断する必要があるが故に、線香置き台の外側枠土台（図３）の中に、簡単に引き出せる収納容器（図２）を設け、その中に蝋燭立てを設置、風が直接炎に当たらないように容器の中に炎を閉じ込めて風を遮断し、図１の金網に切り込みを入れて、下部容器からの蝋燭の炎を通りやすくした事により、強風が吹き荒れていても、束（６０本位）の線香に瞬く間に簡単着火できるようにしたものである。
【請求項２】
線香の灰は風で飛んだり散らかったりして掃除に手間がかかっていたが、線香置き台の下に簡単に引き出せる収納容器（図２）を設けた事により、灰を溜めて処理する役割を果たせるようになった。
【発明の詳細な説明】
【技術分野】
【０００１】本考案は墓前で線香に着火する時に、強風が吹いていても難なく着火できるように、線香置き台の下部に収納容器を設け、その容器の中に蝋燭立てを設置、蝋燭の炎を容器の中に閉じ込めて、風が炎に直接あたらないように遮断した事により、強風が吹き荒れていても束の線香に瞬く間に着火可能になったので、蝋燭に火を灯して直ぐに拝めるようになった。また、上部の線香の灰は飛び散らないように、下の容器の中に溜めて処理できるように工夫したものである。
【背景技術】
【０００２】お墓参りの墓前では風が少しでもあると、お線香になかなか着火せず、片手に線香を持って、もう片方の手にはライターやマッチ等を持って風を防いだりして容易ではなかったが、強風でも難なく簡単着火できるようになり、また線香の灰が飛んで散らかる等の課題もあったが同時に解決できた。
【先行技術文献】
【０００３】
【特許文献１】特許公開１１−５６５８７公報
【特許文献２】特許公開２００３−２１４６２５公報
【考案を解決しようとする課題】
【０００４】１、墓前で強風でも着火が簡単にできる方法はないものかと考えた時に、炎を何かで囲んで消えないように風を遮断する必要があったが、線香置き台の下部に収納容器を設けて、そこに蝋燭立てを設置して火を灯すと、その容器内の蝋燭の炎には上部の網に穴が開いているにも拘わらず、風が全く当たらなくなり、束の線香に瞬く間に着火できるようになった。
２、同時に線香の灰が風で飛び散らないように、その収納容器の中に灰を溜めて処理できるように考案したものである。
【考案を解決するための手段】
【０００５】線香の束を置く線香置き台は線香の灰が下に落ちるように、長方形の外側枠（図３）で形成、下部に灰入れ容器が入るスペースを設け、中を空洞にしておく。
図３に設けてある四隅の上に図１の金網を載せて、炎を受ける場所を正方形にカットして、図２の収納容器には蝋燭立てと取っ手を設置し、上の金網から落ちた灰を溜めて簡単に処分できるようにする（図５）。
【発明を実施するための形態】
【０００６】（イ）外側枠の土台外寸は横１７．５ｃｍ、縦８ｃｍ、奥行き７．５ｃｍ、厚み３ｍｍの非鉄金属を用い、図３の真上（線香を置く所）から２ｃｍ位下に、網を載せる四隅を５ｍｍ位設けて中は空洞にしておく。
（ロ）金網を横１６ｃｍ、奥行き７ｃｍ位の大きさにし、炎が当たる部分を正方形にカットする（図１）。
（ハ）図１の穴を開けた金網を図３の上に載せると図４になる。
（ニ）図３の中に入れる収納容器（図２）の内寸は、横１６．５ｃｍ、縦５．５ｃｍ、奥行き７ｃｍ位の大きさにし、蝋燭立を設置し、引き出しやすく取っ手（４）を付ける。
（ホ）蝋燭の炎は収納容器の中から出て、上の金網穴を通して線香に着火する仕組み（図５）である。
以上の構造よりなる。
【発明の効果】
【０００７】従来は墓前で線香に着火する時に、ちょっとでも風があるとなかなか火がつかないで風を避けたりして時間がかかっていたが、線香置き台の上に線香を置いて、蝋燭に火を灯すだけで、強風が吹き荒れていても瞬く間に簡単で楽に着火できるようになった。また、お線香の灰は風で飛んだり散らかったりして掃除も面倒だったが、線香置き台の下の収納容器の中に灰を溜められるようになったので処理が簡単で便利になった。
【図面の簡単な説明】
【図１】上面図（網穴）
【図２】斜視図（収納部）
【図３】斜視図（外側枠土台部）
【図４】斜視図（網載）
【図５】斜視図（全体図）
【符号の説明】１、  網穴
２、  金網
３、  蝋燭立て
４、  取っ手
５、  灰入れ収納容器
６、  外側枠土台
【図１】
2013015004.tif 000003
【図２】
2013015004.tif 000004
【図３】
2013015004.tif 000005
【図４】
2013015004.tif 000006
【図５】
2013015004.tif 000007
(57)【要約】      （修正有）【課題】夏の暑い時期などに、襟元に溜まる汗から首周りのベトツキを解消するために、汗吸収パッド付のカラーを提供する。【解決手段】学生服襟カラー３をクリップ２を接着したものを取り込んだ本体に、付属品取り付け位置に汗吸収パッド（またはカイロなど）４を装着することで、首周りを快適に過ごせるようにする。【選択図】図２
2013028890.tif 000002
【特許請求の範囲】
【請求項１】
夏の暑い時期などに、襟元に溜まる汗から首周りのベトツキを解消するために、汗吸収パッド付のカラーを提供する。
【発明の詳細な説明】
【技術分野】
【０００１】本発明は、ネクタイなど首周りの汗などの不快感などを解消するために、学生服の詰襟に使われているカラーを生地で包み込みポケットとクリップを装着し、首周りを快適かつ衛生的に使えるようにしたものである。
【背景技術】
【０００２】従来は、首周りの衣類は種類が少ない。
【発明の概要】
【発明が解決しようとする課題】
【０００３】外回りなどの業務（営業など）において、温度差の激しい場所（室内から室外、公共機関での移動など）時間的に場所的に上半身の肌着を交換することは困難で、不快な状態で商談に行う会社員などはせいぜい汗をぬぐうことしか出来なかった。
本発明は、この課題を解消するためになされたものである。
【課題を解決するための手段】
【０００４】学生服の詰襟に使われているカラーにＹシャツの襟に掛かるようクリップをつけ、これに吸水性のある生地で覆うように袋状で包み、さらに首元肌側にポケットをつけ、パッドなどを併用することで汗などを吸収し衛生面も向上した。
【発明の効果】
【０００５】寒い時期には、夏場のパッドの代わりにカイロなどを入れることで、冬場の保温も期待できる。
また、カバーやバッドに色や装飾を加えることで、襟元のアクセントにも最適である。
【図面の簡単な説明】
【０００６】
【図１】本発明の正面図である。
【図２】本発明の裏面図である。
【図３】本発明の骨格である。
【図４】本発明の断面図である。
【発明を実施するための形態】
【０００７】以下、本発明の実施の形態について説明する。
（イ）．カラーカバーの表地ジッパーよりカラー本体を挿入する。
（ロ）．カラーカバーの裏地のくぼみ４を設ける。
【符号の説明】
【０００８】１  ジッパー
２  クリップ（名札についている）
３  学生服の襟カラー本体
４  パッド、カイロなど取り付け位置
５  カバー
【図１】
2013028890.tif 000003
【図２】
2013028890.tif 000004
【図３】
2013028890.tif 000005
【図４】
2013028890.tif 000006